(57)【特許請求の範囲】
【請求項１】
ＣＡ（Ｃａｒｒｉｅｒ  Ａｇｇｒｅｇａｔｉｏｎ）をサポートする無線通信システムにおける基地局のＴＡＧ（Ｔｉｍｉｎｇ  Ａｄｖａｎｃｅ  Ｇｒｏｕｐ）の管理方法において、
少なくとも１つのセルを少なくとも１つのＴＡＧにマッピングする段階と、
設定されるべきセルが特定のＴＡＧに含まれているか否かを判断する段階と、
前記セルが特定のＴＡＧに含まれていない場合には、前記セルのＴＡＧ識別子が設定された制御情報を端末に伝送する段階と、
前記セルが特定のＴＡＧに含まれている場合には、前記セルのＴＡＧ識別子なしに制御情報を端末に伝送する段階とを含み、
前記ＴＡＧは、同一のアップリンクタイミングが設定された少なくとも１つのセルを含むことを特徴とする方法。
【請求項２】
前記特定のＴＡＧは、プライマリセル(Ｐｒｉｍａｒｙ  Ｃｅｌｌ)を含むプライマリＴＡＧ（Ｐｒｉｍａｒｙ  ＴＡＧ）であることを特徴とする請求項１に記載の方法。
【請求項３】
前記ＴＡＧ識別子と関連するＴＡＧのタイミングを調整するために、ＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を前記端末に伝送する段階をさらに含むことを特徴とする請求項１に記載の方法。
【請求項４】
前記ＴＡＧ識別子が０であると、前記ＴＡＣはプライマリＴＡＧのためのものであることを特徴とする請求項３に記載の方法。
【請求項５】
前記ＴＡＧ識別子が０ではないと、前記ＴＡＣはプライマリセルを含まないセカンダリＴＡＧ(Ｓｅｃｏｎｄａｒｙ  ＴＡＧ)のためのものであることを特徴とする請求項３に記載の方法。
【請求項６】
ＰＤＣＣＨ  ｏｒｄｅｒを利用して、少なくとも１つのセカンダリセルのタイミングを調整するための非競争ベースランダムアクセス手順を開始する段階をさらに含むことを特徴とする請求項１に記載の方法。
【請求項７】
ＣＡ（Ｃａｒｒｉｅｒ  Ａｇｇｒｅｇａｔｉｏｎ）をサポートする無線通信システムにおけるＴＡＧ（Ｔｉｍｉｎｇ  Ａｄｖａｎｃｅ  Ｇｒｏｕｐ）の管理のための基地局において、
信号を送信及び受信する送受信部と、
少なくとも１つのセルを少なくとも１つのＴＡＧにマッピングし、
設定されるべきセルが特定のＴＡＧに含まれているか否かを判断し、
前記セルが特定のＴＡＧに含まれていない場合には、前記セルのＴＡＧ識別子が設定された制御情報を端末に伝送し、
前記セルが特定のＴＡＧに含まれている場合には、前記セルのＴＡＧ識別子なしに制御情報を端末に伝送するように制御する制御部とを含み、
前記ＴＡＧは、同一のアップリンクタイミングが設定された少なくとも１つのセルを含むことを特徴とする基地局。
【請求項８】
前記特定のＴＡＧは、プライマリセル(Ｐｒｉｍａｒｙ  Ｃｅｌｌ)を含むプライマリＴＡＧ（Ｐｒｉｍａｒｙ  ＴＡＧ）であることを特徴とする請求項７に記載の基地局。
【請求項９】
前記制御部は、
前記ＴＡＧ識別子と関連するＴＡＧのタイミングを調整するために、ＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を前記端末に伝送するように制御することを特徴とする請求項７に記載の基地局。
【請求項１０】
前記ＴＡＧ識別子が０であると、前記ＴＡＣはプライマリＴＡＧのためのものであることを特徴とする請求項９に記載の基地局。
【請求項１１】
前記ＴＡＧ識別子が０ではないと、前記ＴＡＣはプライマリセルを含まないセカンダリＴＡＧ(Ｓｅｃｏｎｄａｒｙ  ＴＡＧ)のためのものであることを特徴とする請求項９に記載の基地局。
【請求項１２】
前記制御部は、
ＰＤＣＣＨ  ｏｒｄｅｒを利用して、少なくとも１つのセカンダリセルのタイミングを調整するための非競争ベースランダムアクセス手順を開始するように制御することを特徴とする請求項７に記載の基地局。
【請求項１３】
ＣＡ（Ｃａｒｒｉｅｒ  Ａｇｇｒｅｇａｔｉｏｎ）をサポートする無線通信システムにおける端末のＴＡＧ（Ｔｉｍｉｎｇ  Ａｄｖａｎｃｅ  Ｇｒｏｕｐ）の管理方法において、
第１のセルの設定に関する第１の制御情報を受信する段階と、
第２のセルが特定のセルに含まれていない場合には、ＴＡＧ識別子を含む第２の制御情報を受信し、前記第２のセルが前記特定のセルに含まれている場合には、前記ＴＡＧ識別子を含まない前記第２の制御情報を受信する段階と、
前記ＴＡＧ識別子と関連するＴＡＧのタイミングを調整するために、前記第１のセルまたは前記第２のセルのうち少なくとも１つと関連するＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を受信する段階と、
前記ＴＡＧ識別子と関連するＴＡＧに前記ＴＡＣを適用する段階とを含むことを特徴とする方法。
【請求項１４】
前記ＴＡＧ識別子が０であると、前記ＴＡＣはプライマリセル（Ｐｒｉｍａｒｙ  Ｃｅｌｌ）を含むプライマリＴＡＧ（Ｐｒｉｍａｒｙ   ＴＡＧ）のためのものであり、
前記ＴＡＧ識別子が０ではないと、前記ＴＡＣは前記プライマリセルを含まないセカンダリＴＡＧ(Ｓｅｃｏｎｄａｒｙ  ＴＡＧ)のためのものであることを特徴とする請求項１３に記載の方法。
【請求項１５】
前記ＴＡＧは、同一のアップリンクタイミングが設定された少なくとも１つのセルを含むことを特徴とする請求項１３に記載の方法。
【請求項１６】
前記第１のセルはプライマリセルであり、前記第１のセルのためのＴＡＧはプライマリＴＡＧであることを特徴とする請求項１３に記載の方法。
【請求項１７】
ＰＤＣＣＨ  ｏｒｄｅｒを利用して、少なくとも１つのセカンダリセルのタイミングを調整するための非競争ベースランダムアクセス手順を開始するための情報を受信する段階をさらに含むことを特徴とする請求項１３に記載の方法。
【請求項１８】
ＣＡ（Ｃａｒｒｉｅｒ  Ａｇｇｒｅｇａｔｉｏｎ）をサポートする無線通信システムにおける端末のＴＡＧ（Ｔｉｍｉｎｇ  Ａｄｖａｎｃｅ  Ｇｒｏｕｐ）の管理方法において、
第１のセルの設定に関する第１の制御情報を受信し、
第２のセルが特定のセルに含まれていない場合には、ＴＡＧ識別子を含む第２の制御情報を受信し、前記第２のセルが前記特定のセルに含まれている場合には、前記ＴＡＧ識別子を含まない前記第２の制御情報を受信し、
前記ＴＡＧ識別子と関連するＴＡＧのタイミングを調整するために、前記第１のセルまたは前記第２のセルのうち少なくとも１つと関連するＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を受信する送受信部と、
前記ＴＡＧ識別子と関連するＴＡＧに前記ＴＡＣを適用するように制御する制御部とを含むことを特徴とする端末。
【請求項１９】
前記ＴＡＧ識別子が０であると、前記ＴＡＣはプライマリセル(Ｐｒｉｍａｒｙ  Ｃｅｌｌ)を含むプライマリＴＡＧ（Ｐｒｉｍａｒｙ  ＴＡＧ）のためのものであり、
前記ＴＡＧ識別子が０ではないと、前記ＴＡＣは前記プライマリセルを含まないセカンダリＴＡＧ(Ｓｅｃｏｎｄａｒｙ  ＴＡＧ)のためのものであることを特徴とする請求項１８に記載の端末。
【請求項２０】
前記ＴＡＧは、同一のアップリンクタイミングが設定された少なくとも１つのセルを含むことを特徴とする請求項１８に記載の端末。
【請求項２１】
前記第１のセルはプライマリセルであり、前記第１のセルのためのＴＡＧはプライマリＴＡＧであることを特徴とする請求項１８に記載の端末。
【請求項２２】
前記制御部は、
ＰＤＣＣＨ  ｏｒｄｅｒを利用して、少なくとも１つのセカンダリセルのタイミングを調整するための非競争ベースランダムアクセス手順を開始するための情報を受信するよう
に制御することを特徴とする請求項１８に記載の端末。
【発明の詳細な説明】
【技術分野】
【０００１】
本発明は、無線通信システムに関し、特にＬＴＥ(Ｌｏｎｇ Ｔｅｒｍ Ｅｖｏｌｕｔｉｏｎ)システムにおいて他の時間同期を適用する複数個のタイミングアドバンスグループを管理する方法及び装置に関する。
【背景技術】
【０００２】
近年、無線通信技術は急激な発展を成した。これに加えられ、通信システム技術も進化を重ねた 。この中、現在４世代移動通信技術として脚光を浴びるシステムがＬＴＥシステムである。ＬＴＥシステムでは、急増するトラフィック需要を満たすために多様な技術が導入された。そのなかの１つがキャリアアグリゲーション(Ｃａｒｒｉｅｒ Ａｇｇｒｅｇａｔｉｏｎ)である。キャリアアグリゲーションとは、既存の通信で端末機(ＵＥ、以下、「端末」と記す)と基地局(ｅＮＢ、以下、「基地局」と記す)の間で１つのキャリアだけ用いたことを、プライマリキャリアと１つ、或いは複数個のセカンダリキャリアを用いてセカンダリキャリアの個数ほど、送信量を画期的にふやすことができる技術を意味する。一方、ＬＴＥではプライマリキャリアをＰＣｅｌｌ(Ｐｒｉｍａｒｙ Ｃｅｌｌ)と称し、セカンダリキャリアから構成されたセルをＳＣｅｌｌ(Ｓｅｃｏｎｄａｒｙ Ｃｅｌｌ)と称する。
【０００３】
中継機及びリモートラジオヘッド(Ｒｅｍｏｔｅ Ｒａｄｉｏ Ｈｅａｄ) などの導入等によりプライマリキャリアとセカンダリキャリアを用いる基地局の装備位置が変化する場合、アップリンクの送信の時点が変化すべき場合がある。例えば、プライマリキャリアを用いる基地局装備とセカンダリキャリアを用いる装備の位置が相違する場合、端末の位置に応じてより遠く離れている基地局装備へのアップリンク信号をより先ず送信すべきなどの問題が生ずる。このような場合、複数個のアップリンクタイミングが存在することができ、同一アップリンクタイミングを有するキャリアを１つのグループで結んで管理すると、制御シグナリングオーバーヘッド減少など幾つかの利点を得ることができる。このようなグループを本発明ではタイミングアドバンスグループ(Ｔｉｍｉｎｇ Ａｄｖａｎｃｅ Ｇｒｏｕｐ、ＴＡＧ)と称する。ＴＡＧはそれぞれ相違するアップリンクタイミングを有するのでこれをどのように管理すべきかに対する具体的な動作が必要である。
【発明の概要】
【発明が解決しようとする課題】
【０００４】
ＬＴＥシステムにおいて、他の時間同期を適用する複数個のタイミングアドバンスグループを管理する方法及び装置が要求されている。
【課題を解決するための手段】
【０００５】
本発明に一実施形態によれば、基地局でユーザ数とアップリンク資源使用量などを考慮して動的にアップリンクＭＣＳテーブルインデックスを選択することができる装置及び方法を提供することができる。
【０００６】
本発明に一実施形態によるキャリアアグリゲーションをサポートする無線通信システムの基地局において、複数個のタイミングアドバンスグループを管理する方法は、複数個のキャリアを既設定された基準に応じてタイミングアドバンスグループ(Ｔｉｍｉｎｇ Ａｄｖａｎｃｅ Ｇｒｏｕｐ、ＴＡＧ)にグループ化する段階；各タイミングアドバンスグループにタイミングアドバンスグループインデックス(ＴＡＧインテックス)を割り当てる段階；上記タイミングアドバンスグループインデックス情報を端末へ送信する段階；同期化のためのタイミングアドバンス情報(Ｔｉｍｉｎｇ Ａｄｖａｎｃｅ Ｃｏｍｍａｎｄ、ＴＡＣ)を生成する段階；及びランダムアクセス実行の際、上記タイミングアドバンス情報を上記端末へ送信する段階を含むことを特徴とする。
【０００７】
また、本発明の他の実施形態によるキャリアアグリゲーションをサポートする無線通信システムの端末において、複数個のタイミングアドバンスグループを管理する方法は、基地局から既設定された基準に応じてグループ化されたタイミングアドバンスグループのタイミングアドバンスグループインデックス情報を受信する段階；上記受信したタイミングアドバンスグループインデックス情報を適用する段階；ランダムアクセス実行の際、上記基地局からタイミングアドバンス情報を受信する段階；及び上記受信したタイミングアドバンス情報によって同期化する段階を含むことを特徴とする。
【０００８】
また、本発明の他の実施形態によるキャリアアグリゲーションをサポートする無線通信システムの複数個のタイミングアドバンスグループを管理する基地局は、データを送受信する送受信機及び複数個のキャリアを既設定された基準に応じてタイミングアドバンスグループ(Ｔｉｍｉｎｇ Ａｄｖａｎｃｅ Ｇｒｏｕｐ、ＴＡＧ)にグループ化して、各タイミングアドバンスグループにタイミングアドバンスグループインデックス(ＴＡＧインテックス)を割り当てて、上記タイミングアドバンスグループインデックス情報を端末へ送信して、同期化のためのタイミングアドバンス情報(Ｔｉｍｉｎｇ Ａｄｖａｎｃｅ Ｃｏｍｍａｎｄ、ＴＡＣ)を生成して、ランダムアクセス実行の際、上記タイミングアドバンス情報を上記端末へ送信するように制御することを特徴とする。
【０００９】
また、本発明の他の実施形態によるキャリアアグリゲーションをサポートする無線通信システムの複数個のタイミングアドバンスグループを管理する端末機はデータを送受信する送受信機；及び基地局から既設定された基準に応じてグループ化されたタイミングアドバンスグループのタイミングアドバンスグループインデックス情報を受信して、上記受信したタイミングアドバンスグループインデックス情報を適用して、ランダムアクセス実行の際、上記基地局からタイミングアドバンス情報を受信して、上記受信したタイミングアドバンス情報によって同期化するように制御する制御部を含むことを特徴とする。
【００１０】
本発明によれば、ＬＴＥシステムにおいて他の時間同期を適用するで複数個のタイミングアドバンスグループを管理する方法及び装置を提供することができる。
【図面の簡単な説明】
【００１１】
【図１】本発明が適用されるＬＴＥシステムの構造を示した図面である。
【図２】は本発明が適用されるＬＴＥシステムで無線プロトコル構造を示した図面である。
【図３】端末でキャリアアグリゲーションを説明するための図面である。
【図４】アップリンクタイミング同期化手続きの必要性及び役目を示した図面である。
【図５】キャリアアグリゲーションをサポートする実施形態によるプライマリキャリアとセカンダリキャリアの間の装置位置が相違する場合を説明するための図面である。
【図６】本発明の実施形態による主要動作流れを説明するためのフローチャートである
【図７】本発明の実施形態による拡張されたＴＡＣ ＭＡＣ ＣＥ構成方案を説明するための図面である。
【図８】本発明の実施形態による基地局の動作方法を説明するためのフローチャートである。
【図９】本発明の実施形態による端末の動作方法を説明するためのフローチャートである。
【図１０】本発明の実施形態による端末の内部構成を示したブロック図である。
【図１１】発明の実施形態による基地局の内部構成を示したブロック図である。
【発明を実施するための形態】
【００１２】
以下、添付の図面を参照して本発明の好ましい実施形態を詳しく説明する。この際、添付された図面で同一構成要素は可能な同一符号に示していることに留意すべきである。なお、本発明の要旨を不明瞭にする公知機能及び構成に対する詳細な説明は省略する。  
【００１３】
図１は、本発明が適用されるＬＴＥシステムの構造を示した図面である。
【００１４】
図１を参照すれば、ＬＴＥシステムの無線アクセスネットワークは、次世代基地局(Ｅｖｏｌｖｅｄ Ｎｏｄｅ Ｂ、以下、「Ｅ−ＮＢ、Ｎｏｄｅ Ｂ」 又は「基地局」)１０５、１１０、１１５、１２０とＭＭＥ(１２５；Ｍｏｂｉｌｉｔｙ Ｍａｎａｇｅｍｅｎｔ Ｅｎｔｉｔｙ)及びＳ−ＧＷ(１３０；Ｓｅｒｖｉｎｇ−Ｇａｔｅｗａｙ)から構成される。ユーザ端末(Ｕｓｅｒ Ｅｑｕｉｐｍｅｎｔ、以下、「ＵＥ」又は「端末」)１３５はＥ−ＮＢ１０５ 〜１２０及びＳ−ＧＷ１３０を介して外部ネットワークに接続する。
【００１５】
図１でＥ−ＮＢ１０５〜１２０は、ＵＭＴＳシステムの既存ノードＢに対応される。Ｅ−ＮＢはＵＥ(１３５)と無線チャンネルで接続され、既存ノードＢより複雑な役目を実行する。ＬＴＥではインターネットプロトコルを介するＶｏＩＰ(Ｖｏｉｃｅ ｏｖｅｒ ＩＰ)のようなリアルタイムサービスを含むすべてのユーザトラフィックが共用チャンネル(ｓｈａｒｅｄ ｃｈａｎｎｅｌ)を介してサービスされるので、ＵＥのバッファ状態、使用可能電力状態、チャンネル状態等の状況情報に基づいてスケジューリングをする装置が必要であり、これをＥ−ＮＢ１０５〜１２０が担当する。１つのＥ−ＮＢは通常多数のセルを制御する。例えば、最大１００Ｍｂｐｓの伝送速度を具現するためにはＬＴＥは最大２０ＭＨｚ帯域幅で直交周波数分割多重方式(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、以下、「ＯＦＤＭ」と記す)を無線接続技術として用いる。また、端末のチャンネル状態に合わせて変調方式(ｍｏｄｕｌａｔｉｏｎ ｓｃｈｅｍｅ)とチャンネルコーディング率(ｃｈａｎｎｅｌ ｃｏｄｉｎｇ ｒａｔｅ)を決める適応変調コーディング(Ａｄａｐｔｉｖｅ Ｍｏｄｕｌａｔｉｏｎ & Ｃｏｄｉｎｇ、以下、「ＡＭＣ」と記す)方式を適用する。Ｓ−ＧＷ１３０は、データベアラーを提供する装置であり、ＭＭＥの制御に応じてデータベアラーを生成したり除去する。ＭＭＥは端末に対する移動性管理機能は勿論、各種制御機能を担当する装置であり多数の基地局１０５、１１０、１１５、１２０と接続される。
【００１６】
図２は、本発明が適用されるＬＴＥシステムで無線プロトコル構造を示した図面である。
【００１７】
図２を参照すれば、ＬＴＥシステムの無線プロトコルはＵＥとＥ−ＮＢでそれぞれＰＤＣＰ(Ｐａｃｋｅｔ Ｄａｔａ Ｃｏｎｖｅｒｇｅｎｃｅ Ｐｒｏｔｏｃｏｌ ２０５、２４０)、ＲＬＣ(Ｒａｄｉｏ Ｌｉｎｋ Ｃｏｎｔｒｏｌ ２１０、２３５)、ＭＡＣ(Ｍｅｄｉｕｍ Ａ ｃｃｅｓｓ Ｃｏｎｔｒｏｌ ２１５、２３０)からなる。ＰＤＣＰ(Ｐａｃｋｅｔ Ｄａｔａ Ｃｏｎｖｅｒｇｅｎｃｅ  Ｐｒｏｔｏｃｏｌ；２０５、２４０)は、ＩＰヘッダー圧縮／復元等の動作を担当して、無線リンク制御(Ｒａｄｉｏ  Ｌｉｎｋ  Ｃｏｎｔｒｏｌ、以下、「ＲＬＣ」と記す)２１０、２３５はＰＤＣＰ ＰＤＵ(Ｐａｃｋｅｔ Ｄａｔａ Ｕｎｉｔ)を適切な大きさに再構成する。ＭＡＣ２１５、２３０は１つの端末に構成された幾つかのＲＬＣ階層装置と接続されて、ＲＬＣ ＰＤＵをＭＡＣ ＰＤＵに多重化して、ＭＡＣ ＰＤＵからＲＬＣ ＰＤＵを逆多重化する動作を実行する。物理階層２２０、２２５は、上位階層データをチャンネルコーディング及び変調して、ＯＦＤＭシンボルで作って無線チャンネルで送信したり、無線チャンネルを介して受信したＯＦＤＭシンボルを復調してチャンネルデコーディングして上位階層へ伝達する動作をする。また、物理階層でも追加的なエラー訂正のために、ＨＡＲＱ(Ｈｙｂｒｉｄ ＡＲＱ)を使用しており、受信端では送信端から送信したパケットを受信するか否かを１ビットで送信する。これをＨＡＲＱ ＡＣＫ／ＮＡＣＫ情報という。アップリンク送信に対するダウンリンクＨＡＲＱ ＡＣＫ／ＮＡＣＫ情報は、ＰＨＩＣＨ (Ｐｈｙｓｉｃａｌ Ｈｙｂｒｉｄ−ＡＲＱ Ｉｎｄｉｃａｔｏｒ Ｃｈａｎｎｅｌ)物理チャンネルを介して送信されて、ダウンリンク送信に対するアップリンク ＨＡＲＱ ＡＣＫ／ＮＡＣＫ情報は、ＰＵＣＣＨ(Ｐｈｙｓｉｃａｌ Ｕｐｌｉｎｋ Ｃｏｎｔｒｏｌ Ｃｈａｎｎｅｌ)やＰＵＳＣＨ(Ｐｈｙｓｉｃａｌ Ｕｐｌｉｎｋ Ｓｈａｒｅｄ Ｃｈａｎｎｅｌ)物理チャンネルを介して送信されることができる。
【００１８】
図３は、端末でキャリアアグリゲーションを説明するための図面である。
【００１９】
図３を参照すれば、 １つの基地局では一般的に幾つかの周波数帯域にかけてマルチキャリアが送信されて受信される。例えば、基地局３０５で中心周波数がｆ１のキャリア３１５と中心周波数がｆ３(３１０)のキャリアが送信される時、従来には１つの端末が上記２つのキャリアのうちのいずれか１つのキャリアを利用してデータを送受信した。しかし、キャリアアグリゲーション能力を持っているＵＥは同時に幾つかのキャリアからデータを送受信することができる。基地局３０５は、キャリアアグリゲーション能力を持っている端末機３３０に対しては状況によってより多いキャリアを割り当てることによって上記端末機３３０のデータ受信レートを高めることができる。
【００２０】
伝統的な意味で１つの基地局で送信されて受信される１つのダウンリンクキャリアと１つのアップリンクキャリアが１つのセルを構成する時、キャリアアグリゲーションとは、端末機が同時に幾つかのセルを介してデータを送受信することで理解されることができる。これを介して最大送信速度はアグリゲーションされるキャリアの数に比例して増加される。
【００２１】
以下、本発明を説明することにおいて端末機が任意のダウンリンクキャリアを介してデータを受信したり任意のアップリンクキャリアを介してデータを送信することは上記キャリアを特徴づける中心周波数と周波数帯域に対応されるセルで提供する制御チャンネルとデータチャンネルを利用してデータを送受信することと同一の意味を有する。また、以下、本発明の実施形態は説明の便宜のためにＬＴＥシステムを仮定して説明されるはずだが本発明はキャリアアグリゲーションをサープトする各種無線通信システムに適用されることができる。
【００２２】
図４は、アップリンクタイミング同期化手続きの必要性及び役目を示した図面である。
【００２３】
具体的に、ＯＦＤＭ多重化方式を適用した３ＧＰＰ ＬＴＥシステムにおけるアップリンクタイミング同期化手続きの必要性及び役目を示す。
【００２４】
図４を参照すれば、ＵＥ１は、Ｅ−ＮＢと近く位置している端末機を現わし、ＵＥ２は、Ｅ−ＮＢから遠く離れている端末機を現わす。Ｔ_ｐｒｏ１は上記ＵＥ１までのラジオ送信における伝播遅延時間(Ｐｒｏｐａｇａｔｉｏｎ ｄｅｌａｙ ｔｉｍｅ)を現わして、Ｔ_ｐｒｏ２は上記ＵＥ２までのラジオ送信における伝播遅延時間を現わす。ＵＥ１がＵＥ２に比べてＥ−ＮＢと近く位置しているから相対的に小さな伝播遅延時間を有することを分かる(図４でＴ_ｐｒｏ１は０.３３３ｕｓ、Ｔ_ｐｒｏ２は３．３３ｕｓを示す)。
【００２５】
Ｅ−ＮＢの１つのセルで上記ＵＥ１とＵＥ２をパワーオン(Ｐｏｗｅｒ ｏｎ)をする際、或いは上記ＵＥ１とＵＥ２がアイドル(Ｉｄｌｅ)モードにある際、上記ＵＥ１のアップリンクタイミング同期化とＵＥ２のアップリンクタイミング同期化、及びＥ−ＮＢが検出(Ｄｅｔｅｃｔｉｏｎ)するセル内の端末機のアップリンクタイミング同期化が当たらない。
【００２６】
４０１は、ＵＥ１のＯＦＤＭシンボル(Ｓｙｍｂｏｌ)アップリンク送信に対するタイミング同期化を現わして、４０３はＵＥ２のＯＦＤＭシンボルアップリンク送信に対するタイミング同期化を現わす。ＵＥ１とＵＥ２のアップリンク送信の伝播遅延時間を考慮すれば、上記アップリンクＯＦＤＭシンボルを受信するＥ−ＮＢにおけるタイミングは、４０１、４０３、４０５と同一である。すなわち、４０１ＵＥ１のアップリンクシンボルは伝播遅延時間をもって４０７のタイミングをもってＥ−ＮＢに受信されて、４０３ＵＥ２のアップリンク送信は伝播遅延時間をもって４０９のタイミングにＥ−ＮＢに受信される。
【００２７】
図４に示されたように、４０７、４０９はまだＵＥ１、ＵＥ２に対してアップリンクタイミング同期化を合わせる前であるので、Ｅ−ＮＢがアップリンクＯＦＤＭシンボルを受信してデコーディングする開始タイミングである４０５と、ＵＥ１からのＯＦＤＭシンボルを受信するタイミング４０７、及びＵＥ２からのＯＦＤＭシンボルを受信するタイミングである４０９がそれぞれ相違する。
【００２８】
よって、ＵＥ１とＵＥ２から送信されるアップリンクシンボルは直交性(Ｏｒｔｈｏｇｏｎａｌｉｔｙ)を有しないので互いに干渉(Ｉｎｔｅｒｆｅｒｅｎｃｅ)で作用して、Ｅ−ＮＢは上記干渉４０５とずれる４０７、４０９のアップリンクシンボル受信タイミングにより４０１、４０３のＵＥ１、ＵＥ２から送信されるアップリンクシンボルを成功的にデコーディング(Ｄｅｃｏｄｉｎｇ)することができない問題が生ずる。
【００２９】
アップリンクタイミング同期化手続きは、ＵＥ１、ＵＥ２、Ｅ−ＮＢのアップリンクシンボル受信タイミングを同一に合わせる過程であり、上記アップリンクタイミング同期化手続きを終了すると、４１１、４１３、４１５のようにＥ−ＮＢがアップリンクＯＦＤＭシンボルを受信してデコーディングする開始タイミング、 ＵＥ1からのアップリンクＯＦＤＭシンボルを受信してデコーディングする開始タイミング、UＥ１からのアップリンク ＯＦＤＭ シンボルを受信するタイミング、ＵＥ２からのアップリンクＯＦＤＭシンボルを受信するタイミングを合わせる。アップリンクタイミング同期化手続きにおいてＥ−ＮＢはｍ上記端末機にタイミングアドバンス(Ｔｉｍｉｎｇ Ａｄｖａｎｃｅ、以下、「ＴＡ 情報」と記す) 情報を送信してどの位のタイミングを調節すれば良いかに対する情報を通知する。この際、ＴＡ情報はＥ−ＮＢがタイミングアドバンスコマンドＭＡＣ Ｃｏｎｔｒｏｌ Ｅｌｅｍｅｎｔ(Ｔｉｍｉｎｇ Ａ ｄｖａｎｃｅ Ｃｏｍｍａｎｄ、以下、「ＴＡＣ ＭＡＣ ＣＥ」と記す)を介して送信したり、或いは初期アクセスのために端末機が送信したランダムアクセスプリアンブルに対する応答メッセージ (Ｒａｎｄｏｍ Ａｃｃｅｓｓ Ｒｅｓｐｏｎｓｅ、以下 ＲＡＲと称する)を介しても送信することができる。
【００３０】
端末機は、上記ＴＡ情報でアップリンク送信の際点を調節することができる。上記ＴＡ情報を受信した端末は、タイム調整タイマー(ｔｉｍｅ Ａｌｉｇｎｍｅｎｔ Ｔｉｍｅｒ、以下、「ＴＡＴ」と記す)を開始して、ＴＡ情報を以後に追加受信する場合などに上記ＴＡＴを再開始して、上記ＴＡＴが一定時間が経て満了した場合、これ以上基地局から受けたＴＡ情報が有効ではないと判定して当該のＥ−ＮＢとのアップリンク通信を中断する。上記のような方法で上記タイミングを合わせるようになれば、ＵＥ１とＵＥ２から送信されるアップリンクシンボルは直交性を維持することができ、Ｅ−ＮＢは４０１４０３のＵＥ１、ＵＥ２から送信されるアップリンクシンボルを成功的にデコーディングすることができる。
【００３１】
図５は、キャリアアグリゲーションをサポートする実施形態によるプライマリキャリアとセカンダリキャリアの間の装置位置が相違する場合を説明するための図面である
【００３２】
図５を参照すれば、Ｆ１周波数帯域５０５を用いるマクロ基地局５０１の周りにＦ２周波数帯域５０７を用いるリモートラジオヘッド(Ｒｅｍｏｔｅ Ｒａｄｉｏ Ｈｅａｄ：ＲＲＨ)５０３が分布している。もし、端末機がマクロ基地局とリモートラジオヘッドを同時に用いる場合、或いはリモートラジオヘッド近く位置する場合にリモートラジオヘッドで信号を送信する時は、距離が近いから、少し遅く送信しても信号が適切な時点に到逹することができるが、マクロ基地局で信号を送信する時は、距離が遠いから、少し早く送信すると信号が適切な時点に到逹することができる。すなわち、１つの端末内でキャリアアグリゲーションを用いる場合には複数個のアップリンクタイミングを合わせるべきである。このために本発明において基地局は類似のアップリンクタイミングを有するキャリアに対してグループで結んで管理するようにする。これをタイミングアドバンスグループ(Ｔｉｍｉｎｇ Ａｄｖａｎｃｅ Ｇｒｏｕｐ、ＴＡＧ)と称して、これを効率的に管理するための方案が要求される。
【００３３】
本発明では各キャリアが何のＴＡＧに属するかどうかを端末に指示する方法を提示して、時間同期を目的として各グループがＴＡＣ(Ｔｉｍｉｎｇ Ａｄｖａｎｃｅ Ｃｏｍｍａｎｄ)ＭＡＣ ＣＥを端末に伝達する際、これを効率的に制御する方案を提案する。
【００３４】
前述したように、基地局が類似のアップリンクタイミングを有するキャリアに対してグループで結んで管理すれば、シグナリングオーバーヘッドを減らすことができ、効果的に多数のキャリアの時間同期を一致させることができる。例えば、１つのＰＣｅｌｌと３つのＳＣｅｌｌ １、２、３が存在する場合に、ＰＣｅｌｌとＳＣｅｌｌ３はそれぞれ相違するアップリンクタイミングをもって、ＳＣｅｌｌ １とＳＣｅｌｌ ２が上記ＰＣｅｌｌと ＳＣｅｌｌ３とは相違するアップリンクタイミングを有するがＳＣｅｌｌ １とＳＣｅｌｌ２の間には類似のアップリンクタイミングを有する際、ＰＣｅｌｌを１つのグループＴＡＧ １で、ＳＣｅｌｌ １とＳＣｅｌｌ ２をグループＴＡＧ ２で、ＳＣｅｌｌ３を他の１つのグループＴＡＧ ３で結んで管理すればよい。ＰＣｅｌｌはプライマリ周波数(ｐｒｉｍａｒｙ ｆｒｅｑｕｅｎｃｙ)で動作するセルとして、初期接続設定(ｃｏｎｎｅｃｔｉｏｎ ｅｓｔａｂｌｉｓｈｍｅｎｔ)及び接続再設定(ｃｏｎｎｅｃｔｉｏｎ ｒｅ−ｅｓｔａｂｌｉｓｈｍｅｎｔ)過程が実行されることができ、ハンドオーバーもＰＣｅｌｌに限って可能である。ＰＣｅｌｌが含まれたＴＡＧをＰＴＡＧでＳＣｅｌｌにだけ構成されたＴＡＧをＳＴＡＧと称する。すなわち、ＴＡＧ ２に対して基地局でＴＡＣ ＭＡＣ ＣＥ或いはＲＡＲなどを介してＴＡ情報を送信してアップリンクタイミングを調節をコマンドすると、端末は当該のＳＣｅｌｌ １とＳＣｅｌｌ ２に対して共に上記ＴＡＣ ＭＡＣ ＣＥに含まれた情報に応じてアップリンクタイミングを調節する。また、ＴＡＧ １とＴＡＧ ３もそれぞれ当該のＴＡＧのためのＴＡＣ ＭＡＣ ＣＥに含まれた情報に応じてアップリンクタイミングを調節する。
【００３５】
ＴＡＧ概念を適用するため、基地局は端末に何のキャリアが同一 ＴＡＧに属するかどうかを指示すべきである。最も簡単な方法は端末に各セカンダリキャリアの設定情報 (ＳＣｅｌｌ ｃｏｎｆｉｇｕｒａｔｉｏｎ)を提供する際、当該の設定情報に上記セカンダリキャリアが属したＴＡＧインテックス値を含ませる。プライマリセル(ＰＣｅｌｌ)の場合には別に指示せず、最も上位ＴＡＧインテックス値を割り当てる。すなわち、ＴＡＧインテックス値が０から開始すると、ＰＣｅｌｌが含まれたＰＴＡＧのＴＡＧインテックス値は０となる。しかし、このような方法は簡単ではあるが、すべてのセカンダリキャリアの設定情報にＴＡＧインテックス値を追加せざるを得ないので、多少シグナリングオーバーヘッドが発生される。また、他の方法では同一ＴＡＧに属したセカンダリキャリアのうちの１つのセカンダリキャリアの設定情報にだけＴＡＧインテックス値を提供する。他のセカンダリキャリアに対しては実際ＴＡＧインテックス値が提供されないが、自分が属したＴＡＧを暗黙的に分かるように指示することである。プライマリセル(ＰＣｅｌｌ)の場合には、別に指示せず、最も上位ＴＡＧインテックス値を割り当てる。すなわち、ＴＡＧインテックス値が０から開始すると、ＰＣｅｌｌが含まれたＰＴＡＧのＴＡＧインテックス値は０となる。セカンダリキャリアに対しては実際ＴＡＧインテックス値が提供されないが、自己が属したＴＡＧを暗黙的に分かるように指示すればよい。上述の例ではＳＣｅｌｌ １とＳＣｅｌｌ ２は同一ＴＡＧに属した。基地局はＳＣｅｌｌ １の設定情報にだけＴＡＧインテックス値を提供する。そして基地局から提供受けたＳＣｅｌｌ ２の設定情報にＴＡＧインテックス値がなければ、ＳＣｅｌｌ ２のＴＡＧは上位ＳＣｅｌｌ以前セルであるＳＣｅｌｌ １のＴＡＧに従う。このような方法を利用すれば、すべてのセカンダリキャリアの設定情報にＴＡＧインテックスが含まれず、各セカンダリキャリアが属したＴＡＧ情報を提供することができる。
【００３６】
各ＴＡＧ別でＴＡＣ ＭＡＣ ＣＥを利用して時間同期化を実行する。このようなＴＡＣ ＭＡＣ ＣＥを各ＴＡＧ別に構成して送信すると、すべてのＴＡＧの時間同期化のために、ＴＡＧ数ほどＴＡＣ ＭＡＣ ＣＥを構成すべきであり、別途のＭＡＣ ＰＤＵに含んで散発的に端末に伝達しなければならない。これはシグナリング最適化観点で改善の余地がある。
【００３７】
もし、複数個のＴＡＧに対するＴＡＣ ＭＡＣ ＣＥを１つの拡張されたＴＡＣ ＭＡＣ ＣＥに共に含んで端末に伝達すればより効率的である。このような拡張されたＴＡＣ ＭＡＣ ＣＥは幾つかの形態から構成されることができ、本発明では効率的な幾つかの形態を提案する。
【実施例】
【００３８】
＜実施形態１＞
図６は、本発明の主要動作流れ図を説明するための図面である。
【００３９】
図６を参照すれば、６１０段階で基地局６０５は端末にデータを送信するため、３つのＳＣｅｌｌ(１、２、３)を用いることに決める。そして各ＳＣｅｌｌインテックスは１、２、３で設定する。また、各ＳＣｅｌｌのアップリンクタイミングを見る時、ＳＣｅｌｌ １、２は同一であるが、ＳＣｅｌｌ ３は相違する。ＰＣｅｌｌのアップリンクタイミングもいずれかＳＣｅｌｌとも同一ではない。基地局はＰＣｅｌｌのＴＡＧインテックス ０と設定する。そしてＳＣｅｌｌ １、２はＴＡＧインテックス １、ＳＣｅｌｌ ３はＴＡＧインテックス ２と設定する。基地局は各ＳＣｅｌｌ別で設定情報を構成する。この時、ＳＣｅｌｌ １と３に限ってＴＡＧインテックス値を含ませて、ＳＣｅｌｌ ２には含ませない。端末はＳＣｅｌｌ ２のＴＡＧをＳＣｅｌｌ １と同一のことで見なす。このような規則のためには基地局は予めアップリンクタイミングが同一のＳＣｅｌｌのＳＣｅｌｌ インテックス値を互いに接するように指定すべきである。さらに、そのＳＣｅｌｌインテックス値のうちで最も上位インテックス 値に該当するＳＣｅｌｌの設定情報に限ってＴＡＧインテックス値を含ませる。
【００４０】
６１５段階で各ＳＣｅｌｌに対する設定情報と上記説明されたＴＡＧインテックス値情報を含むＲＲＣ接続再設定(ＲＲＣ Ｃｏｎｎｅｃｔｉｏｎ Ｒｅｃｏｎｆｉｇｕｒａｔｉｏｎ)メッセージを端末６００に送信する。以下の表はＲＲＣ Ｃｏｎｎｅｃｔｉｏｎ Ｒｅｃｏｎｆｉｇｕｒａｔｉｏｎメッセージに含まれたＳＣｅｌｌ設定情報を表す。基地局は当該のメッセージを介して、追加又は除外しようとするＳＣｅｌｌのリストを端末に提供する。
【００４１】
追加されるそれぞれのＳＣｅｌｌごとに対応されるＳＣｅｌｌ設定情報も共に提供される。
【００４２】
この設定情報には以下の表１のように上記説明されたＴＡＧインテックス値も含まれることができる。
【００４３】
【表１】
0006038880.tif 000002
【００４４】
６２０段階で端末はＲＲＣ接続再設定完了(ＲＲＣ Ｃｏｎｎｅｃｔｉｏｎ Ｒｅｃｏｎｆｉｇｕｒａｔｉｏｎ Ｃｏｍｐｌｅｔｅ) メッセージを送信して、ＲＲＣ接続再設定メッセージを成功的に受けたことを通知する。
【００４５】
６２５段階で端末は受信した各ＳＣｅｌｌに対する設定情報を適用する。当該の設定情報にはＴＡＧインテックスを含むＳＣｅｌｌ設定情報があるはずであり、そうではない場合もある。ＳＣｅｌｌ １と３に限ってＴＡＧインテックス値を含まれており、ＳＣｅｌｌ ２には含まれられていないから、端末はＰＣｅｌｌとＳＣｅｌｌ ３はそれぞれ他のＴＡＧに属することで見なして、ＳＣｅｌｌ ２のＴＡＧをＳＣｅｌｌ １と同一ことで見なして、ＳＣｅｌｌ １とＳＣｅｌｌ ２はＰＣｅｌｌのＳＣｅｌｌ ３のＴＡＧと相違するＴＡＧに属したことで見なす。しかし、ＳＣｅｌｌ １とＳＣｅｌｌ ２の間には同一ＴＡＧに属したことで見なす。
【００４６】
６３０段階で基地局は設定されたＳＣｅｌｌを活性化させるため、ＳＣｅｌｌ活性化ＭＡＣ ＣＥ(ＳＣｅｌｌ ａｃｔｉｖａｔｉｏｎ ＭＡＣ ＣＥ)を送信する。キャリアアグリゲーションをサポートするＬＴＥ無線通信システムでは設定情報を提供すると共にＳＣｅｌｌでデータ送信がならない。実際データ送信を用いるためには活性化させる追加的な動作を通す。これはＭＡＣ ＣＥを介して行われて、活性化された後に、端末は上記ＳＣｅｌｌに対して、ＰＤＣＣＨモニタリング、ＳＲＳ送信、ＣＱＩ／ＲＭＩ／ＲＩ報告等のデータ送信に必要な動作が実行し始める。
【００４７】
６３５段階で端末は活性化ＭＡＣ ＣＥを受信すると、当該のＳＣｅｌｌを活性化させる。これと共に、ＳＣｅｌｌ不活性化タイマー(ＳＣｅｌｌ Ｄｅａｃｔｉｖａｔｉｏｎ Ｔｉｍｅｒ)も開始する。
【００４８】
６４０段階で基地局は実際データ送信のために、先ずＴＡＧ １に対する時間同期化作業を実行する。基地局はＰＤＣＣＨオーダーを介して、時間同期化のために端末にランダムアクセス過程(ｒａｎｄｏｍ ａｃｃｅｓｓ ｐｒｏｃｅｄｕｒｅ)の実行を指示する。当該のＰＤＣＣＨオーダーには一般的に競争なしにランダムアクセス過程が行われることができるように端末が用いるプリアンブル(ｐｒｅａｍｂｌｅ)値とランダムアクセスリソース情報を含んでいる。
【００４９】
６４５段階で基地局からＰＤＣＣＨオーダーを受けた端末は、時間同期化のために、ランダムアクセス過程を実行する。過程を介して基地局は端末にＴＡＣ(Ｔｉｍｉｎｇ Ａｄｖａｎｃｅ Ｃｏｍｍａｎｄ)を提供して、当該当の情報を利用して端末は時間同期を合わせる。
【００５０】
６５０段階で端末は上記ランダムアクセス過程を介してＴＡＧ １に属したＳＣｅｌｌ １とＳＣｅｌｌ ２はアップリンク時間同期を合わせるようになる。
【００５１】
６５５段階でＳＣｅｌｌ １、ＳＣｅｌｌ ２に対するアップリンク送信が発生して、この際、６４５、６５０で獲得したアップリンクタイミングに応ずる。
【００５２】
６６０段階は基地局は実際データ送信のために、ＴＡＧ ２に対する時間同期化作業を実行する。
【００５３】
６６５段階で基地局からＰＤＣＣＨオーダーを受けた端末は時間同期化のために、ランダムアクセス過程を実行する。
【００５４】
６７０段階で上記ランダムアクセス過程を介して、ＴＡＧ ２に属したＳＣｅｌｌ ３は時間同期を合わせる。
【００５５】
６７５段階でＳＣｅｌｌ １、ＳＣｅｌｌ２だけでなく ＳＣｅｌｌ３に対するアップリンク送信が発生することができるのにＳＣｅｌｌ３に対するアップリンク送信は６６０、６６５で獲得したアップリンクタイミングに応じる。
【００５６】
６８０段階で基地局は、更に時間同期化作業が必要であると判定する。初期時間同期化作業がなった以後、一定時間が経てば、時間同期は段々当らない。これは特定タイマーを利用して判定するのに、このタイマーをＴＡＴ(Ｔｉｍｅ Ａｌｉｇｎｍｅｎｔ Ｔｉｍｅｒ)と言う。時間同期がなればＴＡＴが開始又は再開始して、当該のタイマーが満了すれば、システムでは時間同期が当たらない状態で見なす。したがって、当該のタイマーが満了する前に、基地局は時間同期化のために、ＴＡＣ ＭＡＣ ＣＥを端末に伝達する。ＴＡＣ ＭＡＣ ＣＥは ＴＡＣ(Ｔｉｍｉｎｇ Ａｄｖａｎｃｅ Ｃｏｍｍａｎｄ)が含まれており、これを受信した端末はＴＡＣで指示する時間ほど時間同期を移動させる。
【００５７】
６８５段階で基地局は端末に拡張されたＴＡＣ ＭＡＣ ＣＥを送信する。前述したように、複数個のＴＡＧに対するＴＡＣ ＭＡＣ ＣＥを１つの拡張されたＴＡＣ ＭＡＣ ＣＥに共に含んで端末に伝達すると、より効率的であるので本発明では拡張されたＴＡＣ ＭＡＣ ＣＥを提案する。拡張されたＴＡＣ ＭＡＣ ＣＥは幾つかの形態から構成してもよい。本発明では効率的な幾つかの案を提案する。
【００５８】
図７は本発明の実施形態による拡張されたＴＡＣ ＭＡＣ ＣＥ構成方案を説明するための図面である。  
【００５９】
図７(ａ)は固定された大きさを持つＴＡＣ ＭＡＣ ＣＥ形態である。固定された大きさで、すべてのＴＡＧのＴＡＣを含むように大きさが決まるべきである。ＴＡＣがどのＴＡＧのことなのかを指示するためにＴＡＣ７０５前にＴＡＧインテックス７００が入る。許容されるＴＡＧの個数が４であれば、すべてのＴＡＧを表現するためにはＴＡＧインテックスフィールドで２ビットが必要である。４個のＴＣを含むためには拡張されたＴＡＣ ＭＡＣ ＣＥは総４バイトが必要である。
【００６０】
図７(ｂ)は、可変的な大きさを有するＴＡＣ ＭＡＣ ＣＥ形態である。ＭＡＣ ＣＥが可変的に大きさ情報を予め端末に通知すべきである。上記ＴＡＣ ＭＡＣ ＣＥに含まれるＴＡＧ個数と該ＴＡＧに対する情報はＲＲＣ(Ｒａｄｉｏ Ｒｅｓｏｕｒｃｅ Ｃｏｎｔｒｏｌ)メッセージで設定されることができる。一例として、ＳＣｅｌｌを追加／変更／削除する目的にＲＲＣ接続再設定メッセージに含まれば良い。又はＴＡＣ ＭＡＣ ＣＥに対応する ＭＡＣサーブヘッダーにＴＡＧ個数に対する情報を含ませて指示すれば良い時間同期化作業がすべてのＴＡＧで同時に必要ではない時もあるから、時間同期化が必要なＴＡＧに限って該ＴＡＣを集めて端末に送ることができる。
【００６１】
図７(ｃ)は、該ＴＡＣ ＭＡＣ ＣＥ自体に含まれるＴＡＧ個数情報を含ませる形態であり。大きさ情報フィールド／ＴＡＧ含み個数情報を含み、許容される最大ＴＡＧ数の影響を受けるＴＡＧインテックスフィールドの大きさによってバイト単位を合わせるため、使用されないリザーブドビット(ｒｅｓｅｒｖｅｄ ｂｉｔ)７１０が生ずることができる。
【００６２】
図７(ｄ)は、拡張ビット(ｅｘｔｅｎｓｉｏｎ ｂｉｔ)を利用して、ＴＡＣ ＭＡＣ ＣＥの大きさを通知する形態である。ＴＡＣフィールド後に、或いは他のＴＡＧに対するＴＡＣ情報が存在すると、、Ｅビット７１５を利用してこれを指示する。例えば、Ｅビッが「０」の場合、これ以上ＴＡＣ情報がないことを表し、「１」の場合、他のＴＡＧに対するＴＡＣ 情報がさらにあることを指示する。
【００６３】
図８は、本発明の実施形態による基地局の動作方法を説明するためのフローチャートである。
【００６４】
８００段階で、基地局は端末にＳＣｅｌｌを割り当てることを決める。その後、８０５段階で基地局はＳＣｅｌｌ １がＰＣｅｌｌと同一のアップリンクタイミングを持って、同一ＴＡＧに属することができるのか否かを判定する。８０５段階で基地局がＰＣｅｌｌと一番目のＳＣｅｌｌインテックスを有したＳＣｅｌｌが同一ＴＡＧに属することができると判定する場合、基地局は８１０段階へ進行して該ＳＣｅｌｌの設定情報にＴＡＧインテックス値を割り当てない。８０５段階において地局がＰＣｅｌｌと一番目のＳＣｅｌｌ インテックスを有したＳＣｅｌｌが同一ＴＡＧに属することができないと判定する場合、基地局は８１５段階へ進行してＳＣｅｌｌ １の設定情報に新しいＴＡＧインテックス値を割り当てる。
【００６５】
８２０段階で、基地局は二番目のＳＣｅｌｌ インテックスを有したＳＣｅｌｌから次の段階の動作を実行する。次いで、８２５段階で基地局はＳＣｅｌｌ ｉが以前のＳＣｅｌｌと同一ＴＡＧに属することができるのか否かを判定する。８２５段階で基地局はＳＣｅｌｌ ｉが以前のＳＣｅｌｌと同一のＴＡＧに属することができると判定する場合、基地局は８３０段階へ進行してＳＣｅｌｌ ｉの設定情報にＴＡＧインテックス値を割り当てない。８２５段階で基地局はＳＣｅｌｌ ｉが以前のＳＣｅｌｌと同一ＴＡＧに属することができないと判定する場合、基地局は８３５段階へ進行してＳＣｅｌｌ ｉの設定情報に新しいＴＡＧインテックス値を割り当てる。
【００６６】
８４０段階で基地局は上記端末に許容されたすべてのＳＣｅｌｌに上記動作を実行すると、次の段階を実行する。そうではなければ、８２０段階へ戻る。次いで、基地局は８４５段階で各ＳＣｅｌｌの設定情報に上記段階で決めたＴＡＧインテックスを含む。さらに、基地局は８５０段階ですべてのＳＣｅｌｌの設定情報をＲＲＣ接続再設定メッセージに含んで８５５段階で端末に上記ＲＲＣ接続再設定メッセージを送信する。
【００６７】
図９は、本発明の実施形態による端末の動作方法を説明するためのフローチャートである。
【００６８】
先ず、９００段階で端末は基地局からＲＲＣ接続再設定メッセージを受信する。
【００６９】
９０５段階で端末は上記ＲＲＣ接続再設定メッセージにＳＣｅｌｌ設定情報が含まれたのか確認し、ない場合、動作を終了する。メッセージＳＣｅｌｌ設定情報が含まれた場合には９１０段階へ進行して端末はＰＣｅｌｌのＴＡＧインテックス値を最も上位値と設定する。すなわち、ＴＡＧインテックス値が０から開始すると、ＰＣｅｌｌのＴＡＧ ＴＡＧインテックス値は０となる。
【００７０】
その後、９１５段階で端末は一番目ＳＣｅｌｌインテックスを有したＳＣｅｌｌの設定情報にＴＡＧインテックス値が存在するのか否かを判定する。９１５段階でＴＡＧインテックス 値が存在する場合、端末は９２０段階へ進行して上記ＳＣｅｌｌはＰＣｅｌｌとは異なる新しいＴＡＧに属していると見なして、該ＴＡＧは含まれたＴＡＧインテックス値に指示される。９１５段階でＴＡＧインテックス値が存在しない場合、端末は上記ＳＣｅｌｌが ＰＣｅｌｌとは同一ＴＡＧに属しているということで見なす。
【００７１】
９３０段階で端末は二番目ＳＣｅｌｌ インテックスを有したＳＣｅｌｌから次の段階の動作を実行後、９３５段階で進行してＳＣｅｌｌ ｉの設定情報にＴＡＧインテックス値が存在するのか否かを判定する。９３５段階でＴＡＧインテックス値が存在する場合、端末はＳＣｅｌｌ ｉが以前のＳＣｅｌｌとは異なる新しいＴＡＧに属しているということで見なし、該ＴＡＧは含まれたＴＡＧインテックス値に指示される。９３５段階でＴＡＧインテックス値が存在しない場合、端末はＳＣｅｌｌ ｉが以前のＳＣｅｌｌとは同一ＴＡＧに属していると見なす。
【００７２】
さらに、９５０段階で上記端末に許容されたすべてのＳＣｅｌｌに上記動作を実行すると、動作を終了する。そうではない場合、９３５段階へ戻る。
【００７３】
＜実施形態２＞
前述したように、端末に各セカンダリセルの設定情報(ＳＣｅｌｌ ｃｏｎｆｉｇｕｒａｔｉｏｎ)を提供する際、すべてのセカンダリセルの設定情報に上記セカンダリセルが属したＴＡＧインテックス値を含ませる。したがって、実施形態１と異なり、ＴＡＧインテックス 値を含まないＳＣｅｌｌ設定情報は存在しない。しかし、相変らずプライマリセル(ＰＣｅｌｌ)の場合には別に指示せず最も上位ＴＡＧインテックス値を割り当てる。すなわち、ＴＡＧインテックス値が０から開始すると、ＰＣｅｌｌが含まれたＰＴＡＧのＴＡＧインテックス値は０となる。図６の６１５、６２５段階から２ｎｄ ｅｍｂｏｄｉｍｅｎｔと表示されたＴＡＧインテックス情報が実施形態２に該当する。
【００７４】
図１０は、本発明の実施形態による端末の内部構成を示すブロック図である。
【００７５】
図１０を参照すれば、端末は上位階層１００５とデータなどを送受信して、制御メッセージ処理部１００７を介して制御メッセージを送受信して、送信の際、制御部１００９の制御によって多重化装置 １００３を介して多重化後送信機を介してデータを送信して１００１、受信の際、制御部 １００９の制御によって受信機で物理信号を受信した後１００１、逆多重化装置 １００３で受信信号を逆多重化して、それぞれメッセージ情報によって上位階層１００５、或いは制御メッセージ処理部１００７へ伝達する。
【００７６】
本発明において、ＴＡＣ ＭＡＣ ＣＥを制御メッセージ処理部１００７が受信すると、これをキャリアアグリゲーション動作処理部１０１１に通知する。キャリアアグリゲーション動作処理部１０１１は該ＴＡＧに対する ＴＡＣを制御部１００９に適用するようにコマンドする。
【００７７】
図１１は、本発明の実施形態による基地局の内部構成を現わすブロック図である。
【００７８】
基地局は上位階層１１０５とデータなどを送受信して、制御メッセージ処理部１１０７を介して制御メッセージを送受信して、送信の際、制御部１１０９の制御によって多重化装置１１０３を介して多重化後送信機を介してデータを送信して１１０１、受信の際、制御部１１０９の制御によって受信機で物理信号を受信した後１１０１、逆多重化装置１１０３で受信信号を逆多重化して、それぞれメッセージ情報に応じて上位階層１１０５、或いは制御メッセージ処理部１１０７へ伝達する。
【００７９】
本発明で上位階層装置１１０５は端末にＳＣｅｌｌを許容するかを判定する。許容する場合、各ＳＣｅｌｌらが属したＴＡＧを分析して、この情報を制御メッセージ処理部１１０７へ伝達する。制御メッセージ処理部１１０７は各ＳＣｅｌｌ設定情報にＴＡＧインテックスを含ませて、すべての設定情報はＲＲＣ Ｃｏｎｎｅｃｔｉｏｎ Ｒｅｃｏｎｆｉｇｕｒａｔｉｏｎメッセージに含み、これを多重化及び逆多重化装置１１０３へ伝達する。複数個のＴＡＧに対して時間同期化作業が必要な場合、キャリア直接処理部１１１１では各 ＴＡＧのＴＡＣ値を制御メッセージ処理部１１０７へ伝達する。制御メッセージ処理部１１０７は、１つの拡張されたＴＡＣ ＭＡＣ ＣＥにすべてのＴＡＧの ＴＡＣ値を含んで、これを多重化及び逆多重化装置１１０３へ伝達する。
【００８０】
本明細書及び図面に開示された本発明の実施形態は、本発明の技術内容を容易に説明し、発明の理解を助けるために特定例を提示したものであるだけ、本発明の範囲を限定するものではない。ここに開示された実施形態以外にも本発明の技術的思想に基づく他の変形例が実施可能であるということは本発明が属する技術分野で通常の知識を有する者に自明なものである。
【符号の説明】
【００８１】
１０５、１１０、１１５、１２０  基地局
１３５  ユーザ端末
３０５  基地局
３１５  キャリア
３３０  端末機
５０１  マクロ基地局
６００  端末
６０５  基地局
１００３  多重化装置
１００３  逆多重化装置
１００７  制御メッセージ処理部
１００９  制御部
１０１１  キャリアアグリゲーション動作処理部
１１０３  多重化装置
１１０３  逆多重化装置
１１０５  上位階層装置
１１０７  制御メッセージ処理部
１１０９  制御部
１１１１  キャリア直接処理部
【図１】
0006038880.tif 000003
【図２】
0006038880.tif 000004
【図３】
0006038880.tif 000005
【図４】
0006038880.tif 000006
【図５】
0006038880.tif 000007
【図６】
0006038880.tif 000008
【図７】
0006038880.tif 000009
【図８】
0006038880.tif 000010
【図９】
0006038880.tif 000011
【図１０】
0006038880.tif 000012
【図１１】
0006038880.tif 000013